(57)【要約】【課題】不在時の転送を経済的におこなうことができるインターネット電話アダプタ装置を提供することを目的とする。【解決手段】加入者網とのインタフェースとなる加入者網インタフェース部と、インターネット網とのインタフェースとなるインターネット網インタフェース部と、アナログ電話機Ｂ５とのインタフェースとなる電話機インタフェース部とが接続されるインターネット電話アダプタ装置であって、全体を制御する中央処理装置１と、加入者網インタフェース部とインターネット網インタフェース部とアナログ電話機との互いの接続を切り替えるリレースイッチ８と、アナログ電話機への電話を外出先の携帯電話装置等の外部電話装置へ転送するための転送ボタン１５と、外部電話装置の電話番号を記憶する転送先メモリ１７とを有する。【選択図】  図２
2004253990.tif 000002
【特許請求の範囲】
【請求項１】
加入者網とのインタフェースとなる加入者網インタフェース部と、インターネット網とのインタフェースとなるインターネット網インタフェース部と、アナログ電話機とのインタフェースとなる電話機インタフェース部とが接続されるインターネット電話アダプタ装置であって、
全体を制御する中央処理装置と、前記加入者網インタフェース部と前記インターネット網インタフェース部と前記アナログ電話機との互いの接続を切り替える切替えスイッチと、前記アナログ電話機への電話を外出先の携帯電話装置等の外部電話装置へ転送するための転送ボタンと、前記外部電話装置の電話番号を記憶する転送先メモリとを有することを特徴とするインターネット電話アダプタ装置。
【請求項２】
リアルタイムＯ／Ｓやプログラムの記憶領域、ワーク領域およびＬＡＮとコーデックと間のデータバッファ領域であるＲＡＭと、前記インターネット網インターネット部を有するインターネット接続用モデムからのイーサネット（登録商標）信号とのインタフェースをおこなう絶縁用パルストランスと、前記イーサネット（登録商標）信号の物理層およびＭＡＣ層を実現するＬＡＮコントローラと、音声圧縮／伸張を行うコーデックと、２線４線変換やベル回路、極性反転送出、フック検出、トーン生成、ＤＴＭＦ検出、パルス測定等をおこなうＳＬＩＣと、前記加入者網からの呼び出しベルを検出するベル検出部と、前記アナログ電話機がオンフックかオフフックかを検出するフック検出部とを備え、
前記中央処理装置は制御ファームウェアを実行し、前記切替えスイッチはリレースイッチから成り、前記転送先メモリはファームウェアの記憶領域でもある書き換え可能メモリであることを特徴とする請求項１に記載のインターネット電話アダプタ装置。
【請求項３】
前記転送先メモリに転送先を設定する際に、前記アナログ電話機から前記転送先を含む設定値を設定するためのモードに切り替える設定ボタンを備えたことを特徴とする請求項１または２に記載のインターネット電話アダプタ装置。
【請求項４】
前記転送先メモリは転送先の優先順位と電話番号とが対応するテーブルを備えたことを特徴とする請求項１乃至３のいずれか１に記載のインターネット電話アダプタ装置。
【請求項５】
前記加入者網を選択するための回線切替えボタンを備えたことを特徴とする請求項１乃至４のいずれか１に記載のインターネット電話アダプタ装置。
【請求項６】
インターネット電話と加入者網電話とを切り替えるためのキャッチホンボタンを備えたことを特徴とする請求項１乃至５のいずれか１に記載のインターネット電話アダプタ装置。
【請求項７】
インターネット電話中には前記加入者網からの呼び出しに対して話中となるように設定するための話中ボタンを備えたことを特徴とする請求項１乃至６のいずれか１に記載のインターネット電話アダプタ装置。
【発明の詳細な説明】
【０００１】
【発明の属する技術分野】
本発明は、インターネット網を介して音声通信を行うインターネット電話アダプタ装置に関するものである。
【０００２】
【従来の技術】
従来のインターネット電話アダプタ装置は転送機能を備えておらず、また、かかる先行技術は、文献公知発明に係るものでないため、記載すべき先行技術文献情報はない。転送機能を備える通話システムとしては、コンピュータネットワーク網に接続されたサーバにより実現しているものがある。（例えば特許文献１）に記載されている。
【０００３】
近年、インターネット電話はインターネット専用電話機を使用せず、加入者網で使用しているアナログ電話機をそのまま使用することが可能なインターネット電話アダプタ装置を用いて実現することで、新たに電話機コストがかからないことから主流となっている。
【０００４】
図７は、従来のインターネット電話アダプタ装置を示すブロック図である。
【０００５】
図７において、１はインターネット電話アダプタ装置の制御ファームウェアを実行するＣＰＵ（中央処理装置）、２はファームウェアの記憶領域であるＲＯＭ、３はリアルタイムＯ／Ｓやプログラムの記憶領域、ワーク領域、ＬＡＮとコーデックとの間のデータバッファ領域であるＲＡＭ、４はイーサネット（登録商標）信号の物理層およびＭＡＣ層を実現するＬＡＮコントローラ、５はＬＡＮ  ＩＦ部（ＬＡＮインタフェース部）に接続されたインターネット接続用モデムからのイーサネット（登録商標）信号とのインタフェースをおこなうパルストランス、６は音声圧縮、伸張を行うコーデック、７は２線４線変換、ベル回路、極性反転送出、フック検出、トーン生成、ＤＴＭＦ検出、パルス測定等をおこなうＳＬＩＣ、８は電話機ＩＦ部（電話機インタフェース部）に接続されたアナログ電話機と加入者網との回線切替えをおこなうリレースイッチ（切替えスイッチ）、９は加入者網からの呼び出しベルを検出するベル検出回路、１０はアナログ電話機がオンフックかオフフックかを検出するフック検出回路、１１は電源、ＬＡＮ、インターネット電話および加入者網電話の通話状態をあらわすＬＥＤ、１２は設定内容を表示するＬＣＤ、１３は電源回路、１４はアナログ電話機に−４８Ｖの電源を供給するためのＤＣ／ＤＣコンバータ、ＲＪ１１、ＲＪ４５はコネクタである。
【０００６】
図８は、インターネット電話での呼制御プロトコルであるＨ．３２３ｖ２の接続手順を示すシーケンス（ファストコネクト）図である。
【０００７】
図８において、３１はＨ．３２３端末である図７のインターネット電話アダプタ装置、３２はＨ．３２３端末と電話網（加入者網や携帯電話網など）を接続するためのゲートウェイ、３３は電話番号のＩＰアドレスへの変換を行うゲートキーパ、３４はインターネット網である。
【０００８】
まず、図８を用いて、インターネット電話アダプタ装置３１がインターネット網３４を通じて通話するしくみについて説明する。
【０００９】
インターネット電話では、インターネット電話網と電話網とで相互に通話できるようにするために、インターネット網３４と電話網との間にゲートウェイ３２が配置されている。そして、インターネット電話アダプタ装置３１は、相手のＩＰアドレスや通話を受け付けるポート番号や音声のエンコード方式などを知る必要がある。そこで、相手のＩＰアドレスは、事前に、電話番号とＩＰアドレスが対応するテーブルをもっているゲートキーパ３３が通知する。Ｈ．３２３の基本手順について説明すると、ＲＡＳ（Ｒｅｇｉｓｔｒａｔｉｏｎ  ａｎｄ  Ａｄｍｉ−ｎｉｓｔｒａｔｉｏｎ，Ｓｔａｔｕｓ）手順により端末（ここではインターネット電話アダプタ装置３１）やゲートウェイ３２とゲートキーパ３３との間でアドレス解決をした後、Ｈ．２２５．０にて装置間を接続する。Ｈ．２２５．０は、ＩＳＤＮで使用されているコール・シグナリング・チャンネルであるＱ．９３１をベースとした手順である。しかし、ＩＰネットワークではＩＳＤＮのように固定的なチャネルが存在しない。そこで、仮想的な論理チャネルを定義し、あたかも固定的なチャネルがあるかのように通話路を設定する。この論理チャネルをコントロール・メッセージを運ぶＨ．２４５という手順で確立する。そして、ここで説明する音声のみの通信の場合においては、ファストコネクト手順により、Ｈ．２２５．０の呼設定メッセージ中にＨ．２４５メッセージを設定し、一括転送することで、メッセージのやり取りを減らし、高速な接続を可能とし、電話接続に近いプロトコルとしている。
【００１０】
ここでは、Ｈ．３２３について説明しているが、音声のポート番号やエンコード方式のやり取り等の接続および切断のための呼制御プロトコルは様々な方式（ＳＩＰ、ＮＯＴＡＳＩＰ、Ｈ．３２３、ＭＧＣＰ等）が各標準化団体から提案されており、インターネット電話サービスを提供するサービスプロバイダによって異なっているのが現状である。そして、課金方法はインターネット電話機から電話網にいる相手に電話をかける場合には、相手の最寄りのゲートウェイ装置までインターネット電話をかけ、そこから電話網内を中継してもらうが、このときの電話網内の電話料金は一時的にゲートウェイ装置の運営者が負担するが、最終的にはインターネット電話機の利用者に請求される。
【００１１】
以下、図７を用いて、インターネット電話アダプタ装置の動作について説明する。
【００１２】
まず、リレースイッチ８のデフォルト状態について説明すると、インターネット電話アダプタの電源オフ時はアナログ電話機と加入者網とが接続（ａ−ｃ）され、インターネット電話アダプタ電源オン時はアナログ電話機とインターネット網とが接続（ａ−ｂ）される。
【００１３】
第１の場合として、アナログ電話機からインターネット網に発信する場合（点線▲１▼）について説明する。アナログ電話機からインターネット網に発信する場合は、リレースイッチ８はアナログ電話機とインターネット網とがデフォルト状態で接続（ａ−ｂ）されており、インターネット電話アダプタ装置は、フック検出回路１０によりアナログ電話機のオフフック状態を検出し、ＣＰＵ１に通知する。アナログ電話機から相手の電話番号を押下すると、インターネット電話アダプタ装置は、ＳＬＩＣ７のＤＴＭＦトーン検知によりこれを検出し、そのキー情報をＬＡＮ  ＩＦ部のイーサネット（登録商標）信号経由でインターネット接続用ｘＤＳＬモデムに送信し、ｘＤＳＬモデムからｘＤＳＬ事業者網のディレクトリサーバに対して電話番号の照合が行われる。このディレクトリサーバにおいては、事前に電話番号とＩＰアドレスの登録がおこなわれており、照合するためのテーブルをもっている。その電話番号が登録されていれば、加入者網を介さずにインターネット網のみで通話が可能であり、相手のインターネット電話に対して、ｘＤＳＬ事業者のサポートする呼制御プロトコルに応じて呼出しが行われ、インターネット電話アダプタ装置のＣＰＵ１は呼出中を表示するＬＥＤを制御する。そして、相手側が応答するとＣＰＵ１は通話中を表示するようにＬＥＤを制御する。また、電話番号がディレクトリサーバに登録されていなければ、ｘＤＳＬ事業者網から相手側の地域の加入者網に接続され、局舎を介して相手側の呼び出しが行われ、着信して通話が行われる。
【００１４】
第２の場合として、加入者網からアナログ電話機に着信する場合（点線▲２▼）について説明する。加入者網からアナログ電話機に着信する場合は、リレースイッチ８はアナログ電話機とインターネット網とがデフォルト状態で接続（ａ−ｂ）されており、加入者網から着信ベルの呼出信号をインターネット電話アダプタ装置は、ベル検出回路９にて検出し、ＣＰＵ１にアナログ電話機を呼出中であることを伝え、ＣＰＵ１のポートよりリレースイッチ８を加入者網側に切り替え（ａ−ｃ）、呼出し中であることを表示するようにＬＥＤ１１を制御する。そして、アナログ電話機がオフフックすると、インターネット電話アダプタ装置は、フック検出回路１０にて検出し、ＣＰＵ１にアナログ電話機が着信したことを伝え、加入者網との通話中を表示するようにＬＥＤ１１を制御する。そして、通話が開始される。
【００１５】
第３の場合として、インターネット網からアナログ電話機に着信する場合（点線▲３▼）について説明する。インターネット網からアナログ電話機に着信する場合は、リレースイッチ８はアナログ電話機とインターネット網とがデフォルト状態で接続（ａ−ｂ）されており、相手側電話機はｘＤＳＬ事業者網のディレクトリサーバにて電話番号からＩＰアドレスを問合せ、ｘＤＳＬ事業者がサポートする呼制御プロトコルに従って自分側インターネット電話アダプタ装置へ呼出信号が送られ、ＣＰＵ１は、呼び出し中であることを検知し、ＳＬＩＣ７のベル回路よりベル呼出音を送出し、ＩＰ電話網からの呼出中を表示するようにＬＥＤ１１を制御する。そして、アナログ電話機が応答しオフフックすると、インターネット電話アダプタ装置は、フック検出回路１０によりアナログ電話機のオフフック状態を検知し、ＣＰＵ１に通知する。そし、ＣＰＵ１は、インターネット網を介して通話中であることを表示するようにＬＥＤ１１を制御する。
【００１６】
第４の場合として、アナログ電話機から加入者網への発信の場合（点線▲４▼）について説明する。アナログ電話機から加入者網への発信の場合は、インターネット電話アダプタ装置ではサポートされておらず、その場合は、インターネット電話アダプタ装置の電源をオフにすれば、リレースイッチ８ではアナログ電話機と加入者網とが接続（ａ−ｃ）されるようになるので、この状態で通常の発信を行う。
【００１７】
【特許文献１】
特開平９−１７２４６２号公報
【００１８】
【発明が解決しようとする課題】
しかしながら、従来のインターネット電話アダプタ装置では、一般のアナログ電話機に接続するための機能しか持っておらず、通常の固定電話と同様に、不在時の転送はできないという問題点を有していた。また、不在時に固定電話から直接携帯電話機へかけなおすと、通話料金が非常に高くなるという問題点を有していた。
【００１９】
このインターネット電話アダプタ装置では、不在時の転送を経済的におこなうことが要求されている。
【００２０】
本発明は、この要求を満たすため、不在時の転送を経済的におこなうことができるインターネット電話アダプタ装置を提供することを目的とする。
【００２１】
【課題を解決するための手段】
上記課題を解決するために本発明のインターネット電話アダプタ装置は、加入者網とのインタフェースとなる加入者網インタフェース部と、インターネット網とのインタフェースとなるインターネット網インタフェース部と、アナログ電話機とのインタフェースとなる電話機インタフェース部とが接続されるインターネット電話アダプタ装置であって、全体を制御する中央処理装置と、加入者網インタフェース部とインターネット網インタフェース部とアナログ電話機との互いの接続を切り替える切替えスイッチと、アナログ電話機への電話を外出先の携帯電話装置等の外部電話装置へ転送するための転送ボタンと、外部電話装置の電話番号を記憶する転送先メモリとを有する構成を備えている。
【００２２】
これにより、不在時の転送を経済的におこなうことができるインターネット電話アダプタ装置が得られる。
【００２３】
【発明の実施の形態】
本発明の請求項１に記載のインターネット電話アダプタ装置は、加入者網とのインタフェースとなる加入者網インタフェース部と、インターネット網とのインタフェースとなるインターネット網インタフェース部と、アナログ電話機とのインタフェースとなる電話機インタフェース部とが接続されるインターネット電話アダプタ装置であって、全体を制御する中央処理装置と、加入者網インタフェース部とインターネット網インタフェース部とアナログ電話機との互いの接続を切り替える切替えスイッチと、アナログ電話機への電話を外出先の携帯電話装置等の外部電話装置へ転送するための転送ボタンと、外部電話装置の電話番号を記憶する転送先メモリとを有することとしたものである。
【００２４】
この構成により、転送ボタンによる指示に基づいて加入者網インタフェース部とインターネット網インタフェース部とが接続されるように切り替えることができるので、不在時に加入者網からの電話がかかってきても、他の電話装置（外部電話装置）へインターネット電話を利用した転送が可能となり、不在時の転送を経済的におこなうことができるという作用を有する。
【００２５】
請求項２に記載のインターネット電話アダプタ装置は、請求項１に記載のインターネット電話アダプタ装置において、リアルタイムＯ／Ｓやプログラムの記憶領域、ワーク領域およびＬＡＮとコーデックと間のデータバッファ領域であるＲＡＭと、インターネット網インタフェース部を有するインターネット接続用モデムからのイーサネット（登録商標）信号とのインタフェースをおこなう絶縁用パルストランスと、イーサネット（登録商標）信号の物理層およびＭＡＣ層を実現するＬＡＮコントローラと、音声圧縮／伸張を行うコーデックと、２線４線変換やベル回路、極性反転送出、フック検出、トーン生成、ＤＴＭＦ検出、パルス測定等をおこなうＳＬＩＣと、加入者網からの呼び出しベルを検出するベル検出部と、アナログ電話機がオンフックかオフフックかを検出するフック検出部とを備え、中央処理装置は制御ファームウェアを実行し、切替えスイッチはリレースイッチから成り、転送先メモリはファームウェアの記憶領域でもある書き換え可能メモリであることとしたものである。
【００２６】
この構成により、転送ボタンによる指示に基づいて加入者網インタフェース部とインターネット網インタフェース部とが接続されるように確実に切り替えることができるので、不在時に加入者網からの電話がかかってきても、他の電話装置（外部電話装置）へインターネット電話を利用した確実な転送が可能となり、不在時の転送を確実かつ経済的におこなうことができるという作用を有する。
【００２７】
請求項３に記載のインターネット電話アダプタ装置は、請求項１または２に記載のインターネット電話アダプタ装置において、転送先メモリに転送先を設定する際に、アナログ電話機から転送先を含む設定値を設定するためのモードに切り替える設定ボタンを備えることとしたものである。
【００２８】
この構成により、アナログ電話機から転送先設定等の各種設定を行うことができるという作用を有する。
【００２９】
請求項４に記載のインターネット電話アダプタ装置は、請求項１乃至３のいずれか１に記載のインターネット電話アダプタ装置において、転送先メモリは転送先の優先順位と電話番号とが対応するテーブルを備えることとしたものである。
【００３０】
この構成により、登録された転送先の優先順位に従って外出先の電話に転送を行うことができるので、通話料金が安い転送先から呼び出し、接続可能な転送先に応答することができるという作用を有する。
【００３１】
請求項５に記載のインターネット電話アダプタ装置は、請求項１乃至４のいずれか１に記載のインターネット電話アダプタ装置において、加入者網を選択するための回線切替えボタンを備えることとしたものである。
【００３２】
この構成により、発呼時に切替えスイッチで加入者網側に強制的に切り替えることができるので、インターネット電話の通話品質が劣化している場合やファックス通信を行う場合に、加入者網側に切り替えて通信することができるという作用を有する。
【００３３】
請求項６に記載のインターネット電話アダプタ装置は、請求項１乃至５のいずれか１に記載のインターネット電話アダプタ装置において、インターネット電話と加入者網電話とを切り替えるためのキャッチホンボタンを備えることとしたものである。
【００３４】
この構成により、インターネット電話中に加入者網よりかかってきた電話を認識し、インターネット網側から加入者網側に切り替えるキャッチホン機能を実現することができるという作用を有する。
【００３５】
請求項７に記載のインターネット電話アダプタ装置は、請求項１乃至６のいずれか１に記載のインターネット電話アダプタ装置において、インターネット電話中には加入者網からの呼び出しに対して話中となるように設定するための話中ボタンを備えることとしたものである。
【００３６】
この構成により、話中ボタンを押しさえすれば、インターネット電話中に加入者網からかかってきた電話に対して、現在、話し中であることを知らせるができるという作用を有する。
【００３７】
以下、本発明の実施の形態について、図１〜図６を用いて説明する。
【００３８】
（実施の形態１）
図１は、本発明の実施の形態１によるインターネット電話アダプタ装置を有する通話システムを示す構成図である。
【００３９】
図１において、Ａは加入者網のみに加入している固定電話契約者の宅（加入者網契約者宅）、Ｂは加入者網固定電話とｘＤＳＬのインターネット電話サービスとの両方の契約者の宅（インターネット電話契約者宅）、Ｃ、Ｄは局舎、ＥはｘＤＳＬ事業者網、Ｆはインターネット網、Ｇは携帯電話網、Ｈは加入者網、Ｉは携帯電話機、Ｊａ〜Ｊｄはゲートウェイ、Ｋはディレクトリサーバである。固定電話契約者宅Ａはアナログ電話機Ａ１を備えており、契約者宅Ｂは、インターネット電話アダプタ装置Ｂ１、加入者網インタフェース部（加入者網ＩＦ部）を有するスプリッタＢ２、インターネット網インタフェース部（インターネット網ＩＦ部）を有するｘＤＳＬモデムＢ３、ＰＣＢ４、電話機インタフェース部（電話機ＩＦ部）を有するアナログ電話機Ｂ５を備えている。また、局舎Ｃは電話交換機Ｃ１、スプリッタＣ２、集合モデムＣ３、主配線盤Ｃ４を備えており、局舎Ｄも同様の構成である。
【００４０】
図２は、本発明の実施の形態１によるインターネット電話アダプタ装置Ｂ１を示すブロック図である。
【００４１】
図２において、ＣＰＵ（中央処理装置）１、ＲＡＭ３、ＬＡＮコントローラ４、パルストランス５、コーデック６、ＳＬＩＣ７、リレースイッチ８、ベル検出回路９、フック検出回路１０、ＬＥＤ１１、ＬＣＤ１２、電源回路１３、ＤＣ／ＤＣコンバータ１４、コネクタＲＪ１１、ＲＪ４５は図７と同様のものなので、同一符号を付し、説明は省略する。Ｂ５は図１と同様のアナログ電話機である。１５はインターネット電話アダプタ装置Ｂ１を転送モードにするための転送ボタン、１６はアナログ電話機Ｂ５から転送先（例えば電話番号）を含む設定値を設定するためのモードに切り替える設定ボタン、１７は転送先メモリとしての書き換え可能メモリである。
【００４２】
以上のように構成されたインターネット電話アダプタ装置Ｂ１および装置Ｂ１を有する通話システムについて、その動作を説明する。
【００４３】
まず、図１に示すように、加入者網契約者宅Ａがインターネット電話契約者宅Ｂの不在中にインターネット電話契約者宅Ｂに電話をかけた場合、インターネット電話契約者宅Ｂの契約者は、外出する際、インターネット電話アダプタ装置Ｂ１に自分の携帯電話機Ｉに転送するように設定しており、図１の矢印で示す順に加入者網契約者宅Ａ、宅Ａの最寄り局舎Ｄ、加入者網Ｈ、宅Ｂの最寄り局舎Ｃ、インターネット電話契約者宅Ｂ、宅Ｂの最寄り局舎Ｃ、ｘＤＳＬ事業者網Ｅ、携帯電話網Ｇ、携帯電話機Ｉへと転送される。この場合の課金は、加入者網契約者宅Ａついては、転送の有無に関係なく、宅Ｂの固定電話までの通話料金が課金される。そして、インターネット電話契約者宅Ｂから転送先の携帯電話機Ｉまでの課金は、相手の最寄りのゲートウェイＪｃまでインターネット電話をかけ、そこから携帯電話網Ｇ内を中継してもらい、その携帯電話網Ｇ内の電話料金は一時的にゲートウェイＪｃの運営者が負担するが、最終的にはインターネット電話の利用者（ここでは宅Ｂの契約者）に割安なインターネット電話料金が請求される。そして、この場合のインターネット電話アダプタ装置Ｂ１の詳細な動作を図２を用いて説明する。
【００４４】
まず、転送設定方法について説明する。ＲＪ１１コネクタの電話機インタフェース部にアナログ電話機Ｂ５を接続し、受話器を上げるか、スピーカホンボタンの押下によりオフフック状態にする。そして、インターネット電話アダプタ装置Ｂ１の設定ボタン１６を押すことにより、ＣＰＵ１は転送設定モードに移行し、その状態を表示するようにＬＣＤ１２を制御する。また、このとき、アナログ電話機Ｂ５も受話音として転送設定モードに切り替ったことを確認できるように、ＳＬＩＣ７のトーンジェネレータを制御する。ＬＣＤ１２に転送設定モードが表示され、受話音も転送設定モードの音になったら、アナログ電話機Ｂ５のテンキーを押下して転送先の電話番号を入力し、ＣＰＵ１は、ＳＬＩＣ７のＤＴＭＦ検知部より転送先電話番号を検知し、書き換え可能メモリ１７に記憶し、ＬＣＤ１２に表示する。そして、再度設定ボタン１６を押下して転送登録作業を終了する。そして、転送ボタン１５を押下し、インターネット電話アダプタ装置Ｂ１を転送モードにして外出する。
【００４５】
次に、外出中に加入者網契約者宅Ａの固定電話機Ａ１からインターネット電話契約者宅Ｂに着信し、携帯電話機Ｉに転送する動作について以下説明する。
【００４６】
まず、リレースイッチ８はアナログ電話機Ｂ５とインターネット網インタフェース部側がデフォルト状態で接続（ａ−ｂ）されており、加入者網Ｈから着信ベルの呼出信号をインターネット電話アダプタ装置Ｂ１はベル検出回路９にて検出し、ＣＰＵ１にアナログ電話機Ｂ５が呼出し中であることを通知する。ＣＰＵ１は、転送モードであるか否かを判定するためにステータスを確認し、転送モードである場合は、従来技術と同様の呼制御プロトコル手順で、転送先の携帯電話機Ｉに対してインターネット網インタフェース部と携帯電話網Ｇを介して発呼する。そして、接続応答があるとインターネットで通話できる状態になるので、ＣＰＵ１は、リレースイッチ８の加入者網Ｈとインターネット網インタフェース部側とを接続（ｂ−ｃ）するように切り替え、ＳＬＩＣ７の直流閉ループ回路により加入者網契約者宅Ａからの電話を着信し、携帯電話機Ｉへの転送通話が可能な状態にする。また、携帯電話が着信しない場合は、あらかじめ呼び出し回数の設定がされており、その回数に達した場合はリレースイッチ８の加入者網Ｈ側とアナログ電話機Ｂ５側を接続（ａ−ｃ）するように切り替え、アナログ電話機Ｂ５の留守番機能が作動するようにする。
【００４７】
上記のように本実施の形態によると、不在時、加入者網Ｈからの電話がかかってきても、他の電話装置（外部電話装置）へインターネット電話を利用した転送が可能となる。
【００４８】
（実施の形態２）
図３は、本発明の実施の形態２によるインターネット電話アダプタ装置Ｂ１を示すブロック図である。なお、本実施の形態によるインターネット電話アダプタ装置Ｂ１を有する通話システムの構成は実施の形態１と同様、図１に示す構成である。
【００４９】
図３において、ＣＰＵ（中央処理装置）１、ＲＡＭ３、ＬＡＮコントローラ４、パルストランス５、コーデック６、ＳＬＩＣ７、リレースイッチ８、ベル検出回路９、フック検出回路１０、ＬＥＤ１１、ＬＣＤ１２、電源回路１３、ＤＣ／ＤＣコンバータ１４、転送ボタン１５、設定ボタン１６、書き換え可能メモリ１７、コネクタＲＪ１１、ＲＪ４５、アナログ電話機Ｂ５は図２と同様のものなので、同一符号を付し、説明は省略する。本実施の形態が実施の形態１と異なるところは、書き換え可能メモリ１７の記憶内容である。すなわち、書き換え可能メモリ１７は複数の転送先設定テーブルを備えており、アナログ電話機Ｂ５から設定する際、転送先の優先順位をつけることができ、ＬＣＤ１２で確認することができる。設定する優先順位は自由に設定できるが、通常は電話の通話料金が安い順番に設定する。例えば、最高優先度はＩＥＥＥ８０２．１１ｂ無線電話、次はＰＨＳ、そして携帯電話という順に設定していくことができる。これを（表１）に示す。
【００５０】
【表１】
2004253990.tif 000003
【００５１】
次に、このように構成されたインターネット電話アダプタ装置Ｂ１について、その転送動作を説明する。
【００５２】
上記の例では、まず、最高優先度のＩＥＥＥ８０２．１１ｂ無線電話への呼び出しを従来技術と同様の呼制御プロトコル手順で行い、あらかじめ設定された呼び出し回数だけ呼び出しても着信しない場合は、優先順位が２番目のＰＨＳへの発呼に切り替え、着信されると実施の形態１と同様に着信およびリレースイッチ８を切り替え、ＰＨＳへの転送通話が可能な状態になる。
【００５３】
上記のように本実施の形態によると、通話料金が安い端末から呼び出し、接続可能な端末に応答することができる。
【００５４】
（実施の形態３）
図４は、本発明の実施の形態３によるインターネット電話アダプタ装置Ｂ１を示すブロック図である。なお、本実施の形態によるインターネット電話アダプタ装置Ｂ１を有する通話システムの構成は実施の形態１と同様、図１に示す構成である。
【００５５】
図４において、ＣＰＵ（中央処理装置）１、ＲＡＭ３、ＬＡＮコントローラ４、パルストランス５、コーデック６、ＳＬＩＣ７、リレースイッチ８、ベル検出回路９、フック検出回路１０、ＬＥＤ１１、ＬＣＤ１２、電源回路１３、ＤＣ／ＤＣコンバータ１４、転送ボタン１５、設定ボタン１６、書き換え可能メモリ１７、コネクタＲＪ１１、ＲＪ４５、アナログ電話機Ｂ５は図２と同様のものなので、同一符号を付し、説明は省略する。本実施の形態では、発呼時に加入者網Ｈを強制的に選択するための回線切替えボタン１８を備え、強制的に加入者網電話（マイライン）を選択することができる。
【００５６】
このように構成されたインターネット電話アダプタ装置Ｂ１について、その回線切替え動作を説明する。
【００５７】
図４において、回線切替えボタン１８を押下すると、ＣＰＵ１は、強制的にリレースイッチ８の加入者網インタフェース部とアナログ電話機Ｂ５とを接続（ａ−ｃ）するように切り替え、ＬＥＤ１１を制御し、回線接続の状態表示を行う。
【００５８】
上記のように本実施の形態によると、インターネット電話特有のトラフィックによる通話品質の劣化や、サーバの不具合による通話不能状態、ファックス未対応などの問題が発生した場合に、強制的に加入者網電話（マイライン）を選択することにより、それらの問題を回避することができる。
【００５９】
（実施の形態４）
図５は、本発明の実施の形態４によるインターネット電話アダプタ装置Ｂ１を示すブロック図である。なお、本実施の形態によるインターネット電話アダプタ装置Ｂ１を有する通話システムの構成は実施の形態１と同様、図１に示す構成である。
【００６０】
図５において、ＣＰＵ（中央処理装置）１、ＲＡＭ３、ＬＡＮコントローラ４、パルストランス５、コーデック６、ＳＬＩＣ７、リレースイッチ８、ベル検出回路９、フック検出回路１０、ＬＥＤ１１、ＬＣＤ１２、電源回路１３、ＤＣ／ＤＣコンバータ１４、転送ボタン１５、設定ボタン１６、書き換え可能メモリ１７、回線切替えボタン１８、コネクタＲＪ１１、ＲＪ４５、アナログ電話機Ｂ５は図４と同様のものなので、同一符号を付し、説明は省略する。本実施の形態では、キャッチホン切替えのためのキャッチホンボタン１９と、電話交換機Ｃ１（図１参照）からの呼び出し信号に対し、着信するための直流閉ループ回路２０と、その直流閉ループ回路２０のオンオフを制御するためのリレースイッチ２１とを備えるようにした。これによりキャッチホン機能が実現される。
【００６１】
このように構成されたインターネット電話アダプタ装置Ｂ１について、そのキャッチホン動作を説明する。
【００６２】
インターネット電話中、リレースイッチ８はアナログ電話機Ｂ５とインターネット網インタフェース部側とを接続（ａ−ｂ）しており、このとき電話交換機Ｃ１からの呼び出しがあると、ベル検出回路９で認識し、ＣＰＵ１は、加入者網Ｈから呼出し中であることを知らせるために、ＳＬＩＣ７のトーンジェネレータ（トーンＧｅｎ）を制御する。そして、キャッチホンボタン１９を押下すると、リレースイッチ８が加入者網側に切り替り（ａ−ｃ）、加入者網Ｈ側と通話できる状態になる（このときリレースイッチ２１は接続（ｄ−ｅ）状態である）。このときインターネット電話は保留状態になっており、再びキャッチホンボタン１９を押下すると、インターネット電話側に切り替る（ａ−ｂ）。このとき加入者網電話を保留状態にする（着信状態を保つ）ため、リレースイッチ２１は直流閉ループ回路２０側に切替える（ｄ−ｆ）。このように、インターネット電話と加入者網電話との切替えをキャッチホンボタン１９にて行うことができる。キャッチホン状態時のリレー接続を（表２）に示す
【００６３】
【表２】
2004253990.tif 000004
【００６４】
上記のように本実施の形態によると、インターネット電話中に加入者網Ｈからかかってきた電話に対して、キャッチホン機能を実現することができる。
【００６５】
（実施の形態５）
図６は、本発明の実施の形態５によるインターネット電話アダプタ装置Ｂ１を示すブロック図である。なお、本実施の形態によるインターネット電話アダプタ装置Ｂ１を有する通話システムの構成は実施の形態１と同様、図１に示す構成である。
【００６６】
図６において、ＣＰＵ（中央処理装置）１、ＲＡＭ３、ＬＡＮコントローラ４、パルストランス５、コーデック６、ＳＬＩＣ７、リレースイッチ８、ベル検出回路９、フック検出回路１０、ＬＥＤ１１、ＬＣＤ１２、電源回路１３、ＤＣ／ＤＣコンバータ１４、転送ボタン１５、設定ボタン１６、書き換え可能メモリ１７、回線切替えボタン１８、キャッチホンボタン１９、直流閉ループ回路２０、リレースイッチ２１、コネクタＲＪ１１、ＲＪ４５、アナログ電話機Ｂ５は図５と同様のものなので、同一符号を付し、説明は省略する。本実施の形態では、インターネット電話中には加入者網Ｈからの呼び出しに対して話中となるように設定するための話中ボタン２２を備える。
【００６７】
このように構成されたインターネット電話アダプタ装置Ｂについて、その話中設定動作を説明する。
【００６８】
インターネット電話中、リレースイッチ８はアナログ電話機Ｂ５とインターネット網インタフェース部側とを接続（ａ−ｂ）しており、このとき、話中ボタン２２を押下すると、リレースイッチ２１が直流閉ループ２０側に切替わり（ｄ−ｆ）、加入者網Ｈから電話がかかってきても、相手に話中であることをビジートーンにより知らせることができる。この話中設定は、インターネット電話中にはＣＰＵ１により自動的に上記リレースイッチ２１の設定を行い、自動化を実現することもできる。
【００６９】
上記のように本実施の形態によると、インターネット電話中の加入者網Ｈ側からの電話に対しては、ビジートーンにより話中であることを知らせることができる。
【００７０】
なお、ＬＡＮインタフェースおよびインタフェース網インタフェースは実施の形態１〜５に限定されるものではなく、インタフェースの物理層として、例えば、電話線、イーサネット（登録商標）ケーブル、光ファイバー、同軸ケーブル、電力線、無線等があるが、これらに限定するものではなく、ネットワーク接続が可能な形態であればいいことは言うまでもない。また、インターネット接続サービスにおいても実施の形態１〜５に限定するものではなく、ｘＤＳＬサービス以外にもインターネット接続が可能な形態であればいいことは言うまでもない。
【００７１】
【発明の効果】
以上説明したように本発明の請求項１に記載のインターネット電話アダプタ装置によれば、加入者網とのインタフェースとなる加入者網インタフェース部と、インターネット網とのインタフェースとなるインターネット網インタフェース部と、アナログ電話機とのインタフェースとなる電話機インタフェース部とが接続されるインターネット電話アダプタ装置であって、全体を制御する中央処理装置と、加入者網インタフェース部とインターネット網インタフェース部とアナログ電話機との互いの接続を切り替える切替えスイッチと、アナログ電話機への電話を外出先の携帯電話装置等の外部電話装置へ転送するための転送ボタンと、外部電話装置の電話番号を記憶する転送先メモリとを有することにより、転送ボタンによる指示に基づいて加入者網インタフェース部とインターネット網インタフェース部とが接続されるように切り替えることができるので、不在時に加入者網からの電話がかかってきても、他の電話装置（外部電話装置）へインターネット電話を利用した転送が可能となり、不在時の転送を経済的におこなうことができるという有利な効果が得られる。
【００７２】
請求項２に記載のインターネット電話アダプタ装置によれば、請求項１に記載のインターネット電話アダプタ装置において、リアルタイムＯ／Ｓやプログラムの記憶領域、ワーク領域およびＬＡＮとコーデックと間のデータバッファ領域であるＲＡＭと、インターネット網インタフェース部を有するインターネット接続用モデムからのイーサネット（登録商標）信号とのインタフェースをおこなう絶縁用パルストランスと、イーサネット（登録商標）信号の物理層およびＭＡＣ層を実現するＬＡＮコントローラと、音声圧縮／伸張を行うコーデックと、２線４線変換やベル回路、極性反転送出、フック検出、トーン生成、ＤＴＭＦ検出、パルス測定等をおこなうＳＬＩＣと、加入者網からの呼び出しベルを検出するベル検出部と、アナログ電話機がオンフックかオフフックかを検出するフック検出部とを備え、中央処理装置は制御ファームウェアを実行し、切替えスイッチはリレースイッチから成り、転送先メモリはファームウェアの記憶領域でもある書き換え可能メモリであることにより、転送ボタンによる指示に基づいて加入者網インタフェース部とインターネット網インタフェース部とが接続されるように確実に切り替えることができるので、不在時に加入者網からの電話がかかってきても、他の電話装置（外部電話装置）へインターネット電話を利用した確実な転送が可能となり、不在時の転送を確実かつ経済的におこなうことができるという有利な効果が得られる。
【００７３】
請求項３に記載のインターネット電話アダプタ装置によれば、請求項１または２に記載のインターネット電話アダプタ装置において、転送先メモリに転送先を設定する際に、アナログ電話機から転送先を含む設定値を設定するためのモードに切り替える設定ボタンを備えたことにより、アナログ電話機から転送先設定等の各種設定を行うことができるという有利な効果が得られる。
【００７４】
請求項４に記載のインターネット電話アダプタ装置によれば、請求項１乃至３のいずれか１に記載のインターネット電話アダプタ装置において、転送先メモリは転送先の優先順位と電話番号とが対応するテーブルを備えたことにより、登録された転送先の優先順位に従って外出先の電話に転送を行うことができるので、通話料金が安い転送先から呼び出し、接続可能な転送先に応答することができるという有利な効果が得られる。
【００７５】
請求項５に記載のインターネット電話アダプタ装置によれば、請求項１乃至４のいずれか１に記載のインターネット電話アダプタ装置において、加入者網を選択するための回線切替えボタンを備えたことにより、発呼時に切替えスイッチで加入者網側に強制的に切り替えることができるので、インターネット電話の通話品質が劣化している場合やファックス通信を行う場合に、加入者網側に切り替えて通信することができるという有利な効果が得られる。
【００７６】
請求項６に記載のインターネット電話アダプタ装置によれば、請求項１乃至５のいずれか１に記載のインターネット電話アダプタ装置において、インターネット電話と加入者網電話とを切り替えるためのキャッチホンボタンを備えたことにより、インターネット電話中に加入者網よりかかってきた電話を認識し、インターネット網側から加入者網側に切り替えるキャッチホン機能を実現することができるという有利な効果が得られる。
【００７７】
請求項７に記載のインターネット電話アダプタ装置によれば、請求項１乃至６のいずれか１に記載のインターネット電話アダプタ装置において、インターネット電話中には加入者網からの呼び出しに対して話中となるように設定するための話中ボタンを備えたことにより、話中ボタンを押しさえすれば、インターネット電話中に加入者網からかかってきた電話に対して、現在、話し中であることを知らせるができるという有利な効果が得られる。
【図面の簡単な説明】
【図１】本発明の実施の形態１、２、３、４、５によるインターネット電話アダプタ装置を有する通話システムを示す構成図
【図２】本発明の実施の形態１によるインターネット電話アダプタ装置を示すブロック図
【図３】本発明の実施の形態２によるインターネット電話アダプタ装置を示すブロック図
【図４】本発明の実施の形態３によるインターネット電話アダプタ装置を示すブロック図
【図５】本発明の実施の形態４によるインターネット電話アダプタ装置を示すブロック図
【図６】本発明の実施の形態５によるインターネット電話アダプタ装置を示すブロック図
【図７】従来のインターネット電話アダプタ装置を示すブロック図
【図８】インターネット電話での呼制御プロトコルであるＨ．３２３ｖ２の接続手順を示すシーケンス図
【符号の説明】
１  ＣＰＵ（中央処理装置）
３  ＲＡＭ
４  ＬＡＮコントローラ
５  パルストランス
６  コーデック
７  ＳＬＩＣ
８、２１  リレースイッチ
９  ベル検出回路
１０  フック検出回路
１１  ＬＥＤ
１２  ＬＣＤ
１３  電源回路
１４  ＤＣ／ＤＣコンバータ
１５  転送ボタン
１６  設定ボタン
１７  書き換え可能メモリ
１８  回線切替えボタン
１９  キャッチホンボタン
２０  直流閉ループ回路
２２  話中ボタン
Ａ  加入者網契約者宅
Ａ１、Ｂ５  アナログ電話機
Ｂ  インターネット電話契約者宅
Ｂ１  インターネット電話アダプタ装置
Ｂ２  スプリッタ
Ｂ３  ｘＤＳＬモデム
Ｂ４  ＰＣ
Ｃ、Ｄ  局舎
Ｃ１  電話交換機
Ｃ２  スプリッタ
Ｃ３  集合モデム
Ｃ４  主配線盤
Ｅ  ｘＤＳＬ事業者網
Ｆ  インターネット網
Ｇ  携帯電話網
Ｈ  加入者網
Ｉ  携帯電話機
Ｊａ、Ｊｂ、Ｊｃ、Ｊｄ  ゲートウェイ
Ｋ  ディレクトリサーバ
【図１】
2004253990.tif 000005
【図２】
2004253990.tif 000006
【図３】
2004253990.tif 000007
【図４】
2004253990.tif 000008
【図５】
2004253990.tif 000009
【図６】
2004253990.tif 000010
【図７】
2004253990.tif 000011
【図８】
2004253990.tif 000012